(57)【特許請求の範囲】
【請求項１】
椅子の左右両側部を構成し、右側面視および左側面視の形状が対称形状をしている一対の側フレームと、前記一対の側フレーム間に取り付けられる座部とを有する椅子であって、
前記側フレームは、一本の棒状部材が曲成されて形成され、直列に連続して延びる、略水平に前後方向に延びる床置部と、前記床置部の前端から上方斜め後ろに向かって立ち上がった脚部と、前記脚部の上端から上方斜め後ろに向かって延びる座部支持部と、前記座部支持部の上端から上方に向かって立ち上がった背板支持部とを含んでおり、
前記座部支持部に対し、外側または内側から着脱可能に取り付けられ、前記座部支持部に沿って斜め上下方向に取り付け位置を変位可能な座部保持具を有し、
前記座部保持具には、前記座部の左右側縁部を前後方向から挿入可能な座部受け溝が形成されており、
前記座部は、前記座部受け溝に挿入され、前後方向に位置を可変できることを特徴とする椅子。
【請求項２】
前記座部保持具は、側方に開放された嵌合溝を含み、この嵌合溝に、前記座部支持部が嵌合していることを特徴とする請求項１記載の椅子。
【請求項３】
前記座部支持部は、当該座部支持部が延びる方向に沿って並ぶ複数の凹部を含み、
前記座部保持具は、前記凹部に選択的に挿入された凸部を含むことを特徴とする請求項２記載の椅子。
【請求項４】
左右一対の座部保持具は、連結部材により、左右方向に互いに連結されていることを特徴とする請求項３記載の椅子。
【発明の詳細な説明】
【技術分野】
【０００１】
この発明は、椅子に関する。
【背景技術】
【０００２】
従来より、座面の高さを調節可能な椅子が提案されている（例えば、特許文献１参照。）。特許文献１の椅子は、脚部として機能する左右一対の側板と、これら側板にねじ止めされた座部とを有している。座部を側板に固定するねじは、側板のねじ挿通孔を挿通している。ねじ挿通孔は、複数個が上下方向に並んでおり、何れかのねじ挿通孔を選択的に使用することで、座部の高さを調節することができる。
【先行技術文献】
【特許文献】
【０００３】
【特許文献１】特開２００５−１５２２１９号公報
【発明の概要】
【発明が解決しようとする課題】
【０００４】
しかし、特許文献１の椅子では、座部は高さ方向にしか位置調節できず、前後方向の位置を調節することはできない。
一方で、座部の高さ位置とともに、前後方向の位置も調節したいという要望があり、このような要望に応えるためには、椅子の構造が複雑になる。
この発明は、このような従来技術に鑑みてなされたもので、この発明の目的は、座部の高さ位置および前後位置を容易に調節できる簡素な構造の椅子を提供することである。
【課題を解決するための手段】
【０００５】
請求項１記載の発明は、椅子の左右両側部を構成し、右側面視および左側面視の形状が対称形状をしている一対の側フレームと、前記一対の側フレーム間に取り付けられる座部とを有する椅子であって、前記側フレームは、一本の棒状部材が曲成されて形成され、直列に連続して延びる、略水平に前後方向に延びる床置部と、前記床置部の前端から上方斜め後ろに向かって立ち上がった脚部と、前記脚部の上端から上方斜め後ろに向かって延びる座部支持部と、前記座部支持部の上端から上方に向かって立ち上がった背板支持部とを含んでおり、前記座部支持部に対し、外側または内側から着脱可能に取り付けられ、前記座部支持部に沿って斜め上下方向に取り付け位置を変位可能な座部保持具を有し、前記座部保持具には、前記座部の左右側縁部を前後方向から挿入可能な座部受け溝が形成されており、前記座部は、前記座部受け溝に挿入され、前後方向に位置を可変できることを特徴とする椅子である。
【０００６】
請求項２記載の発明は、前記座部保持具は、側方に開放された嵌合溝を含み、この嵌合溝に、前記座部支持部が嵌合していることを特徴とする請求項１記載の椅子である。
請求項３記載の発明は、前記座部支持部は、当該座部支持部が延びる方向に沿って並ぶ複数の凹部を含み、前記座部保持具は、前記凹部に選択的に挿入された凸部を含むことを特徴とする請求項２記載の椅子である。
【０００７】
請求項４記載の発明は、左右一対の座部保持具は、連結部材により、左右方向に互いに連結されていることを特徴とする請求項３記載の椅子である。
【発明の効果】
【０００８】
請求項１記載の発明によれば、座部保持具の取り付け位置を調節して、座部の高さを調節することができる。また、座部を座部受け溝により案内して前後方向に容易に位置調節できる。また、座部を前後方向に位置調節するための構造を、座部受け溝により簡素化できる。
請求項２記載の発明によれば、座部保持具の嵌合溝と座部支持部とを互いに嵌合させて相対移動させることにより、座部を高さ方向に容易に位置調節できる。
【０００９】
請求項３記載の発明によれば、凸部が凹部に挿入される簡素な構造で、斜め上下方向についての互いの相対移動を規制できる。
請求項４記載の発明によれば、座部保持具が座部支持部から不用意に離脱することや、座部保持具が座部支持部に対して位置ずれすることを防止できる。
【図面の簡単な説明】
【００１０】
【図１】図１は、この発明の一実施形態の椅子１の斜視図である。
【図２】図２は、椅子１を示す図であり、（ａ）に左側面図を、（ｂ）に正面図を、（ｃ）に右側面図を示す。
【図３】図３は、座部保持具１０を示す図であり、（ａ）に後面図、（ｂ）に左側面図、（ｃ）にＣ−Ｃ線で切る断面図、（ｄ）に右側面図を示す。
【図４】図４は、側フレーム２の座部支持部１７、座部保持具１０、座部４などの分解斜視図である。
【図５】図５は、足置き保持具１２の斜視図である。
【発明を実施するための形態】
【００１１】
以下では、この発明の実施の形態を、添付図面を参照して詳細に説明する。
図１は、この発明の一実施形態の椅子１の斜視図である。
椅子１は、当該椅子１の左右両側部を構成する一対の側フレーム２，３を有している。また、椅子１は、一対の側フレーム２，３間に取り付けられる座部４、背板５、および足置き６を有している。一対の側フレーム２，３の上端部は、背板５を介して互いに固定されており、一対の側フレーム２，３の下端部は、複数の連結部材７，８を介して互いに固定されている。椅子１は、概ね左右対称に構成されている。なお、左右方向は、正面視を基準として設定される。また、各図には、前後方向Ｘ、左右方向Ｙ、および上下方向Ｚが図示されている。
【００１２】
座部４は、平面視で略矩形の木製の板材により形成されており、前端縁が下方に向けてなだらかに湾曲している。
背板５は、正面視で略矩形の木製の板材により形成されており、前面が緩やかな凹湾曲面をなしている。
足置き６は、平面視で略矩形の木製の平板材により形成されている。
【００１３】
一方の連結部材７は、木製の板材により構成されている。他方の連結部材８は、一方の連結部材７よりも前方に配置されており、金属の棒材により構成されている。左右方向Ｙについての連結部材７，８の一端が一方の側フレーム２にねじ止めにより固定されており、左右方向についての連結部材７，８の他端が他方の側フレーム３にねじ止めにより固定されている。
【００１４】
また、椅子１は、座部４を側フレーム２，３に位置調節可能に取り付けるための一対の座部保持具１０，１１と、足置き６を側フレーム２，３に位置調節可能に取り付けるための一対の足置き保持具１２，１３とを有している。
図２は、椅子１を示す図であり、（ａ）に左側面図を、（ｂ）に正面図を、（ｃ）に右側面図を示す。
【００１５】
側フレーム２は、椅子１の右側部を構成する。側フレーム３は、椅子１の左側部を構成する。右側の側フレーム２の右側面視の形状と、左側の側フレーム３の左側面視の形状とが、互いに対称形状をなしている。
各側フレーム２，３は、一本の棒状木製部材が曲成されて形成されている。この棒状木製部材は、例えば、断面矩形をなし、集成材をその木目に沿った積層方向に曲げることにより形成されている。
【００１６】
各側フレーム２，３は、当該側フレーム２，３の下端部に設けられ略水平に前後方向に延びる床置部１５と、床置部１５の前端から上方斜め後ろに向かって立ち上がった脚部１６と、脚部１６の上端から上方斜め後ろに向かって延びる座部支持部１７と、座部支持部１７の上端から上方に向かって立ち上がった背板支持部１８とを含んでいる。これら各部１５，１６，１７，１８は、側フレーム２，３が延びる方向に沿って、直列に連続して延びている。側フレーム２，３は、全体として、床置部１５に対して立ち上がった脚部１６、座部支持部１７および背板支持部１８が、前後方向にわずかに撓る木製であるが故の弾性を備えている。
【００１７】
脚部１６の下端部は、湾曲状に形成されており、床置部１５の前端部と滑らかに接続されている。各側フレーム２，３の脚部１６の下端部には、カバー２０，２１が取り付けられている。カバー２０，２１は、脚部１６の下端部の真下において当該椅子１の設置面（例えば、床）と接する部分を含み、回り止めとして機能する。また、脚部１６と座部支持部１７とは、屈曲状に互いに接続されている。座部支持部１７と背板支持部１８とは、屈曲状に互いに接続されている。
【００１８】
各側フレーム２，３の座部支持部１７には、対応する座部保持具１０，１１が取り付けられている。一対の座部保持具１０，１１は、連結部材２３により互いに接続されている。各座部保持具１０，１１は、対応する座部支持部１７に沿って斜め上下方向（矢印Ｍ１参照。）に取り付け位置を変位可能とされている。
また、座部支持部１７は、座部保持具１０，１１の位置調整範囲に対応した領域に、複数の凹部２４を有している。これらの凹部２４は、左右方向Ｙについての外側の側方に向けて開放されており、一定の間隔で当該座部支持部１７が延びる方向に沿って並んでいる。
【００１９】
各側フレーム２，３の脚部１６には、対応する足置き保持具１２，１３が取り付けられている。一対の足置き保持具１２，１３は、連結部材２５により互いに接続されている。各足置き保持具１２，１３は、対応する脚部１６に沿って斜め上下方向に取り付け位置を変位可能とされている。
また、脚部１６は、足置き保持具１２，１３の位置調整範囲に対応した領域に、複数の凹部２６を形成されている。これらの凹部２６は、左右方向Ｙについての外側の側方に向けて開放されており、一定の間隔で当該脚部１６が延びる方向に沿って並んでいる。
【００２０】
図３は、座部保持具１０を示す図であり、（ａ）に後面図、（ｂ）に左側面図、（ｃ）にＣ−Ｃ線で切る断面図、（ｄ）に右側面図を示す。なお、図３（ａ），（ｄ）には、座部４および側フレーム２の座部支持部１７も一点鎖線で図示した。
以下では、椅子１の右側にある構成を中心に説明する。なお、左側にある構成は、右側にある構成と左右対称に構成されており、特に説明しないが右側と同様に構成されている。また、左右の構成について別々の符合を付したものを除いて、左側の構成については、右側の構成と同じ符合を付してある。
【００２１】
座部保持具１０は、例えば、ナイロン樹脂等の合成樹脂材料により形成されている。座部保持具１０には、側面視で前後方向に対して斜めに延びる嵌合溝２８が形成されている。嵌合溝２８は、座部支持部１７の傾斜角に合せて傾斜しており、左右方向の内方の側方および斜め上下方向に開放されている。嵌合溝２８には、側フレーム２の座部支持部１７が挿入される。
【００２２】
嵌合溝２８の底には、複数、例えば、２つの凸部２９が互いに同様に形成されている。各凸部２９は、円柱形をなし、嵌合溝２８の底から左右方向の内側の側方に向けて突出している。２つの凸部２９の間隔は、座部支持部１７において相隣接する２つの凹部２４同士の間隔と等しくされている。
また、座部保持具１０には、座部４を受けるために側面視で前後方向（水平方向）に沿って延びる受け溝３０が形成されている。受け溝３０は、左右方向の内側の側方および前後方向に開放されている。受け溝３０には、座部４の左右側縁部が前後方向から挿入可能とされている。受け溝３０の幅（上下寸法）は、座部４の左右側縁部の厚みとほぼ等しい寸法で形成されている。
【００２３】
また、受け溝３０と、嵌合溝２８とは、互いに交差している。受け溝３０が、嵌合溝２８により２つの部分に分断されている。受け溝３０は、嵌合溝２８よりも浅く形成されている。嵌合溝２８における受け溝３０よりも深い部分に、座部支持部１７が挿通する。これにより、嵌合溝２８内にある座部支持部１７が、受け溝３０に座部４を挿入するときに邪魔にならないようになっている。
【００２４】
また、座部保持具１０は、左右の側方に開放された大径の嵌合孔３２と、この嵌合孔３２に連通する小径の挿通孔３３と、この挿通孔３３と連通し嵌合孔３２とは反対側に開放された大径の座ぐり孔３４とを有している。
図４は、側フレーム２の座部支持部１７、座部保持具１０、座部４などの分解斜視図である。
【００２５】
側フレーム２の座部支持部１７には、対応する座部保持具１０が、左右方向についての外側から着脱可能に取り付けられている。
座部保持具１０が座部支持部１７に取り付けられた状態では、座部支持部１７が座部保持具１０部の嵌合溝２８を通るとともに、座部保持具１０の嵌合溝２８の底にある２つの凸部２９が、座部支持部１７の多数の凹部２４から選択された２つの凹部２４に嵌合している。凹部２４を選択することにより、座部保持具１０，１１の位置を段階的に調節できる。位置調節された一対の座部保持具１０，１１は、連結部材２３の端部にボルト３６によりねじ止めで固定される。
【００２６】
連結部材２３の端部は、座部保持具１０の嵌合孔３２に嵌合され、嵌合孔３２の底に接している。ボルト３６の頭部は、座ぐり孔３４に配置され、ボルト３６の軸部が挿通孔３３を通り、ボルト３６のねじ部が連結部材２３の雌ねじ孔にねじ嵌合している。
一対の座部保持具１０，１１の受け溝３０に、座部４の左右側縁部が挿通されて、保持される。一対の座部保持具１０，１１の受け溝３０の底同士の間隔は、座部４の左右側縁部の左右方向の寸法とほぼ等しくされている。受け溝３０に挿入された座部４は、前後方向に位置を可変できる。
【００２７】
図５は、足置き保持具１２の斜視図である。
足置き保持具１２は、座部保持具１０と同様に、例えば、ＡＢＳ樹脂等の合成樹脂材料により形成されており、嵌合溝２８、凸部２９、受け溝３０、嵌合孔３２、挿通孔３３、および座ぐり孔３４を有している。足置き保持具１２と座部保持具１０とは、ほぼ同じに構成されているが、以下の点で異なる。すなわち、足置き保持具１２では、嵌合溝２８は、側フレーム２の脚部１６の傾きに合せて傾斜しており、嵌合溝２８には脚部２が挿通している。凸部２９は、脚部１６の凹部２６と嵌合する。受け溝３０には、足置き６の左右側縁部が挿入される。嵌合孔３２には、連結部材２５が嵌合する。挿通孔３３および座ぐり孔３４には、連結部材２５と足置き保持具１２，１３とを固定するためのボルト（図示せず）が通される。これにより、足置き保持具１２，１３は、足置き６の高さ位置および前後位置を調節できる。
【００２８】
この実施形態によれば、座部支持部１７に対して座部保持具１０，１１の取り付け位置を調節して、座部４の高さを調節することができる。また、座部４を受け溝３０により案内して前後方向に容易に位置調節できる。また、座部４を前後方向に位置調節するための構造を、受け溝３０により簡素化できる。
また、座部保持具１０，１１の嵌合溝２８と座部支持部１７とを互いに嵌合させて相対移動させることにより、座部４を高さ方向に容易に位置調節できる。
【００２９】
また、座部保持具１０，１１の凸部２９が座部支持部１７の凹部２４に挿入される簡素な構造で、斜め上下方向についての互いの相対移動を規制できる。
連結部材２３により、座部保持具１０，１１が座部支持部１７から不用意に離脱することや、座部保持具１０，１１が座部支持部１７に対して位置ずれすることを防止することができる。
【００３０】
また、座部４と同様にして、足置き６の位置も容易に調整できる。座部４および足置き６を、高さ方向および前後方向にユーザーの体格や年齢（例えば、幼児から大人まで）に合せて位置調節できるので、良好な座り心地を様々なユーザーに提供できる。
また、この発明の実施形態について、以下のような変形例を考えることができる。以下の説明では、上述の実施形態と異なる点を中心に説明する。
【００３１】
例えば、前述の実施形態において、一対の座部保持具１０，１１を連結する連結部材２３を廃止することも考えられる。
また、前述の各実施形態において、座部保持具１０，１１の凸部２９は、少なくとも一つがあればよく、凸部２９を廃止することも考えられる。凸部２９を廃止する場合には、凹部２４も廃止できる。凸部２９が廃止される場合には、座部支持部１７と嵌合溝２８の内面との間の摩擦により、座部保持具１０，１１が座部支持部１７に保持される。
【００３２】
さらに、凹部２４をナットにし、凸部にあたる部位に穴を設け、ボルト止めすることも考えられる。
また、前述の各実施形態では、座部保持具１０，１１は座部支持部１７に対して左右の外側から取り付けられていたが、左右の内側から取り付けられることも考えられる。
また、足置き６および足置き保持具１２，１３を廃止することも考えられる。
【００３３】
その他、特許請求の範囲に記載された事項の範囲で種々の設計変更を施すことが可能である。
【符号の説明】
【００３４】
１    椅子
２，３    側フレーム
４    座部
１０，１１    座部保持具
１５    床置部
１６    脚部
１７    座部支持部
１８    背板支持部
２３    連結部材
２４    凹部
２８    嵌合溝
２９    凸部
３０    受け溝（座部受け溝）
Ｘ    前後方向
【図１】
0005667966.tif 000002
【図２】
0005667966.tif 000003
【図３】
0005667966.tif 000004
【図４】
0005667966.tif 000005
【図５】
0005667966.tif 000006